(57)【要約】【課題】監視時まぶしくなく、警報時明るく発光するガス漏れ警報器を提供する。【解決手段】ＣＰＵ２０ａは、ガスセンサ３０によってガス漏れが検出されていないとき、ＳＷトランジスタＴｒ０をオフ制御する。これにより、ＬＥＤ１０は低輝度で点灯する。ガスセンサ３０によってガス漏れが検出されているとき、ＳＷトランジスタＴｒ０のオンオフを繰り返す。これにより、ＬＥＤ１０を高輝度点灯と低輝度点灯を繰り返す、つまり、高輝度で点滅させる。【選択図】      図１
2005004267.tif 000002
【特許請求の範囲】
【請求項１】
ガス漏れを検出する検出手段と、発光素子とを備えたガス漏れ警報器であって、
少なくとも前記ガス漏れが検出されていないとき、前記発光素子を低輝度で点灯させ、前記ガス漏れが検出されているとき、前記発光素子を高輝度で点灯させる点灯制御手段を有する
備えたことを特徴とするガス漏れ警報器。
【請求項２】
請求項１記載のガス漏れ警報器であって、
前記点灯制御手段は、前記発光素子を常時点灯させると共に、前記ガス漏れが検出されているとき、前記ガス漏れが検出されていないときに比べて、前記発光素子の輝度を高くする
ことを特徴とするガス漏れ警報器。
【請求項３】
請求項２記載のガス漏れ警報器であって、
前記発光制御手段は、抵抗及びスイッチング素子を互いに並列に接続した並列回路と、前記スイッチング素子のオンオフを制御するスイッチ制御手段とを有し、
前記並列回路は前記発光素子と直列に接続され、
前記スイッチ制御手段は、前記ガス漏れが検出されていないとき、前記スイッチング素子をオフにすると共に、前記ガス漏れが検出されているとき、前記スイッチング素子のオンオフ動作を繰り返す
ことを特徴とするガス漏れ警報器。
【請求項４】
請求項２記載のガス漏れ警報器であって、
前記発光制御手段は、抵抗及び第１スイッチング素子を直列に接続した直列回路と、第２スイッチング素子とから構成され、前記直列回路及び前記第２スイッチング素子を互いに並列に接続した並列回路と、前記第１及び第２スイッチング素子のオンオフを制御するスイッチ制御手段を有し、
前記スイッチ制御素子は、前記ガス漏れが検出されていないとき、前記第１スイッチング素子をオンに、前記第２スイッチング素子をオフに制御すると共に、前記ガス漏れが検出されているとき、前記第１スイッチング素子をオフにし、前記第２スイッチング素子のオンオフ動作を繰り返す
ことを特徴とするガス漏れ警報器。
【請求項５】
ガス漏れ警報器に備えられた発光素子の点灯制御方法であって、
少なくとも前記ガス漏れが検出されていないとき、前記発光素子を低輝度で点灯させ、前記ガス漏れが検出されているとき前記発光素子を高輝度で点灯させる
ことを特徴とする点灯制御方法。
【発明の詳細な説明】
【０００１】
【発明の属する技術分野】
この発明は、ガス漏れ警報器及び点灯制御方法に係わり、特に、発光素子を備えたガス漏れ警報器及びガス漏れ警報器に備えられた発光素子の点灯制御方法に関する。
【０００２】
【従来の技術】
従来のガス漏れ警報器としては、例えば、電源投入中、常時点灯する電源表示用発光ダイオード（以下、ＬＥＤ）と、ガス漏れ警報時に点灯する警報用ＬＥＤとを備えたものが知られている。これら電源表示用ＬＥＤ及び警報用ＬＥＤの点灯・消灯により、ユーザは、ガス漏れ警報器に電源が供給されている否か、ガス漏れが発生しているか否かといった情報が知ることができる。
【０００３】
【発明が解決しようとする課題】
上述した従来のガス漏れ警報器は、電源表示用ＬＥＤも警報用ＬＥＤも同じ輝度で点灯させていた。このため、警報時に、ガス漏れ警報器の所在をすぐに見つけ出せるように、電源表示用ＬＥＤ及び警報用ＬＥＤの発光輝度を高くすると、警報時以外の監視時において、夜間など周囲が暗いところでガス漏れ警報器の電源表示用ＬＥＤが高輝度で点灯してしまうため、まぶしすぎてしまうという問題があった。
【０００４】
また、監視時にガス漏れ警報器を見たときまぶしくないように、電源表示用ＬＥＤ及び警報用ＬＥＤの発光輝度を低くすると、今度は、警報時に、警報用ＬＥＤが低輝度で点灯するため、目立たなくなり、警報時にガス漏れ警報器の所在をすぐに見つけ出しにくいという問題が生じる。
【０００５】
そこで、本発明は、上記のような問題点に着目し、監視時まぶしくなく、警報時明るく発光するガス漏れ警報器を提供することを課題とする。
【０００６】
【課題を解決するための手段】
上記課題を解決するためになされた請求項１記載の発明は、ガス漏れを検出する検出手段と、発光素子とを備えたガス漏れ警報器であって、少なくとも前記ガス漏れが検出されていないとき、前記発光素子を低輝度で点灯させ、前記ガス漏れが検出されているとき、前記発光素子を高輝度で点灯させる点灯制御手段を備えたことを特徴とするガス漏れ警報器に存する。
【０００７】
請求項１記載の発明によれば、点灯制御手段が、少なくともガス漏れが検出されていないときは発光素子を低輝度で点灯させ、ガス漏れが検出されているときは、発光素子を高輝度で点灯させる。従って、ガス漏れが検出されていない監視時に、低輝度で発光素子を点灯させ、ガス漏れが検出されている警報時に、高輝度で発光素子を点灯させることができる。
【０００８】
請求項２記載の発明は、請求項１記載のガス漏れ警報器であって、前記点灯制御手段は、前記発光素子を常時点灯させると共に、前記ガス漏れが検出されているとき、前記ガス漏れが検出されていないときに比べて、前記発光素子の輝度を高くすることを特徴とするガス漏れ警報器に存する。
【０００９】
請求項２記載の発明によれば、点灯制御手段が、発光素子を常時点灯させると共に、ガス漏れが検出されているとき、ガス漏れが検出されていないときに比べて、発光素子の輝度を高くする。従って、１つの発光素子で監視時と警報時との輝度を変えることができる。
【００１０】
請求項３記載の発明は、請求項２記載のガス漏れ警報器であって、前記発光制御手段は、抵抗及びスイッチング素子を互いに並列に接続した並列回路と、前記スイッチング素子のオンオフを制御するスイッチ制御手段とを有し、前記並列回路は前記発光素子と直列に接続され、前記スイッチ制御手段は、前記ガス漏れが検出されていないとき、前記スイッチング素子をオフにすると共に、前記ガス漏れが検出されているとき、前記スイッチング素子のオンオフ動作を繰り返すことを特徴とするガス漏れ警報器に存する。
【００１１】
請求項３記載の発明によれば、スイッチ制御手段は、ガス漏れが検出されていないとき、スイッチング素子をオフにし、ガス漏れが検出されているとき、スイッチング素子のオンオフ動作を繰り返す。従って、１つのスイッチング素子のオンオフ制御を行うだけで、簡単に、ガス漏れが検出されていないとき、低輝度で発光素子を点灯させ、ガス漏れが検出されているとき、高輝度で発光素子を点滅させることができる。
【００１２】
請求項４記載の発明は、請求項２記載のガス漏れ警報器であって、前記発光制御手段は、抵抗及び第１スイッチング素子を直列に接続した直列回路と、第２スイッチング素子とから構成され、前記直列回路及び前記第２スイッチング素子を互いに並列に接続した並列回路と、前記第１及び第２スイッチング素子のオンオフを制御するスイッチ制御手段を有し、前記スイッチ制御素子は、前記ガス漏れが検出されていないとき、前記第１スイッチング素子をオンに、前記第２スイッチング素子をオフに制御すると共に、前記ガス漏れが検出されているとき、前記第１スイッチング素子をオフにし、前記第２スイッチング素子のオンオフ動作を繰り返すことを特徴とするガス漏れ警報器に存する。
【００１３】
請求項４記載の発明によれば、スイッチ制御手段は、ガス漏れが検出されていないとき、第１スイッチング素子をオンにし、第２スイッチング素子をオフに制御する。一方、ガス漏れが検出されているとき、第１スイッチング素子をオフにし、第２スイッチング素子のオンオフ動作を繰り返す。従って、第１及び第２のスイッチング素子のオンオフ制御を行うことにより、ガス漏れが検出されていないとき、低輝度で発光素子を点灯させ、ガス漏れが検出されているとき、高輝度で発光素子を点滅させることができる。しかも、点滅時、第１スイッチング素子がオフされているため、第２のスイッチング素子がオンされると、発光素子が高輝度で点灯し、オフされると、完全に発光しなくなるため、発光素子の点滅の明暗を大きくすることができる。
【００１４】
請求項５記載の発明は、ガス漏れ警報器に備えられた発光素子の点灯制御方法であって、少なくとも前記ガス漏れが検出されていないとき、前記発光素子を低輝度で点灯させ、前記ガス漏れが検出されているとき前記発光素子を高輝度で点灯させることを特徴とする点灯制御方法に存する。
【００１５】
請求項５記載の発明によれば、少なくともガス漏れが検出されていないときは発光素子を低輝度で点灯させ、ガス漏れが検出されているときは、発光素子を高輝度で点灯させる。従って、ガス漏れが検出されていない監視時に、低輝度で発光素子を点灯させ、ガス漏れが検出されている警報時に、高輝度で発光素子を点灯させることができる。
【００１６】
【発明の実施の形態】
第１実施形態
以下、第１実施形態におけるガス漏れ警報器及び点灯制御方法を、図面に基づいて説明する。図１は、第１実施形態における点灯制御方法を実施したガス漏れ警報器の電気構成図である。同図に示すように、直流電源ＶＣＣには、抵抗Ｒ０と、発光素子としての発光ダイオード（ＬＥＤ）１０と、並列回路１１とが互いに直列に接続されている。上記並列回路１１は、互いに並列に接続されたスイッチングトランジスタ（ＳＷトランジスタ）Ｔｒ０及び抵抗Ｒ１から構成されている。
【００１７】
このスイッチング素子としてのＳＷトランジスタＴｒ０のベースは、マイクロコンピュータ（μＣＯＭ）２０に接続され、このμＣＯＭ２０は、スイッチ制御手段として働き、ＳＷトランジスタＴｒ０のベースに対して制御信号Ｓ１を出力することにより、オンオフを制御している。
【００１８】
上述したμＣＯＭ２０は、周知のように、予め定めたプログラムに従って各種の処理や制御などを行う中央処理ユニット（ＣＰＵ）２０ａ、ＣＰＵ２０ａのためのプログラム等を格納した読み出し専用メモリであるＲＯＭ２０ｂ、各種のデータを格納すると共にＣＰＵ２０ａの処理作業に必要なエリアを有する読み出し書き込み自在のメモリであるＲＡＭ２０ｃ等を内蔵している。また、上記ＣＰＵ２０ａには、ガス漏れを検出するガスセンサ３０からの検出結果が供給される。
【００１９】
以上のような構成のガス漏れ警報器によれば、ＳＷトランジスタＴｒ０をオフにすると、ＬＥＤ１０には、抵抗Ｒ０、ＬＥＤ１０、抵抗Ｒ１の直列合成抵抗に応じた電流が直流電源ＶＣＣから供給される。一方、ＳＷトランジスタＴｒ０をオンすると、ＬＥＤ１０には、抵抗Ｒ０、ＬＥＤ１０の直列合成抵抗に応じた電流が直流電源ＶＣＣから供給される。このときＬＥＤ１０に供給される電流は、直列合成抵抗が抵抗Ｒ１分減少するため、ＳＷトランジスタＴｒ０をオフしたときよりも増加する。従って、ＬＥＤ１０は、ＳＷトランジスタＴｒ０がオフされると低輝度で点灯し、ＳＷトランジスタＴｒ０がオンされると高輝度で点灯する。
【００２０】
次に、上述した構成のガス漏れ警報器の動作について、図２に示すＳＷトランジスタＴｒ０のオンオフのタイミングチャートを参照して以下説明する。
μＣＯＭ２０内のＣＰＵ２０ａは、電源の投入によって動作を開始する。その後、ＣＰＵ２０ａは、ガスセンサ３０からガス漏れが生じていないとの検出結果が得られている間は、監視時であると判断して、ＳＷトランジスタＴｒ０のベースに供給する制御信号をＬｏにして、ＳＷトランジスタＴｒ０をオフにする。これにより、ＬＥＤ１０は低輝度で点灯する。
【００２１】
一方、ガスセンサ３０がガス漏れを検出すると、ＣＰＵ２０ａは、警報時であると判断して、ＳＷトランジスタＴｒ０のベースにパルス状の制御信号Ｓ１を出力して、ＳＷトランジスタＴｒ０にオンオフを繰り返させる。これにより、ＬＥＤ１０は高輝度点灯と低輝度点灯を繰り返す、つまり、高輝度で点滅する。
【００２２】
以上のガス漏れ警報器によれば、ＬＥＤ１０を常時点灯させると共に、ガス漏れが検出されているとき、ガス漏れが検出されていないときに比べて、ＬＥＤ１０の輝度を高くしている。これにより、ＬＥＤ１０を監視時に低輝度で点灯させ、警報時に高輝度で点灯させることができるため、監視時まぶしくなく、警報時に明るくすることができる。また、１つのＬＥＤ１０を監視時に低輝度で点灯させ、警報時に高輝度で点灯させているため、低輝度点灯用と高輝度点灯用と各々別々のＬＥＤ１０を設ける必要がなく、コストダウンを図ることができる。
【００２３】
しかも、上述したガス漏れ警報器によれば、１つのＳＷトランジスタＴｒ０のオンオフ制御を行うだけで、簡単に、監視時に低輝度でＬＥＤ１０を点灯させ、警報時に高輝度でＬＥＤ１０を点滅させることができる。このため、構成が簡単となりコストダウンを図ることができる。
【００２４】
第２実施形態
次に、第２実施形態におけるガス漏れ警報器及び点灯制御方法を、図面に基づいて説明する。図３は、第２実施形態における点灯制御方法を実施したガス漏れ警報器の電気構成図である。同図に示すように、直流電源ＶＣＣには、抵抗Ｒ０と、ＬＥＤ１０、並列回路１１とが互いに直列に接続されている。上記並列回路１１は、互いに並列に接続されたＳＷトランジスタＴｒ０と、抵抗Ｒ１及びＳＷトランジスタＴｒ１との直列回路から構成されている。上記ＳＷトランジスタＴｒ０が請求項中の第２スイッチング素子に、ＳＷトランジスタＴｒ１が請求項中の第１スイッチング素子に相当する。
【００２５】
このＳＷトランジスタＴｒ０、Ｔｒ１のベースは各々、μＣＯＭ２０に接続され、μＣＯＭ２０は、スイッチ制御手段として働き、ＳＷトランジスタＴｒ０、Ｔｒ１のベースに対して各々制御信号Ｓ１、Ｓ２を出力することにより、オンオフを制御している。
【００２６】
上述したμＣＯＭ２０は、上述した第１実施形態と同様に、ＣＰＵ２０ａ、ＲＯＭ２０ｂ、ＲＡＭ２０ｃ等を内蔵している。また、上記ＣＰＵ２０ａには、ガス漏れを検出するガスセンサ３０からの検出結果が供給される。
【００２７】
以上のような構成のガス漏れ警報器によれば、ＳＷトランジスタＴｒ０をオフにし、ＳＷトランジスタＴｒ１をオンにすると、ＬＥＤ１０には、抵抗Ｒ０、ＬＥＤ１０、抵抗Ｒ１の直列合成抵抗に応じた電流が直流電源ＶＣＣから供給される。一方、ＳＷトランジスタＴｒ０をオンにすると、ＬＥＤ１０には、抵抗Ｒ０、ＬＥＤ１０の直列合成抵抗に応じた電流が直流電源ＶＣＣから供給される。このときＬＥＤ１０に供給される電流は、直列合成抵抗が抵抗Ｒ１分減少するため、ＳＷトランジスタＴｒ０をオフし、ＳＷトランジスタＴｒ１をオンにしたときよりも増加する。
【００２８】
このため、ＬＥＤ１０は、ＳＷトランジスタＴｒ０がオフされ、ＳＷトランジスタＴｒ１がオンにされると低輝度で点灯し、ＳＷトランジスタＴｒ０がオンされると高輝度で点灯する。また、ＳＷトランジスタＴｒ０、Ｔｒ１共にオフにすれば、ＬＥＤ１０には電流が供給されず、ＬＥＤ１０は消灯する。
【００２９】
次に、上述した構成のガス漏れ警報器の動作について、図４に示すＳＷトランジスタＴｒ０、Ｔｒ１のオンオフのタイミングチャートを参照して以下説明する。
μＣＯＭ２０内のＣＰＵ２０ａは、電源の投入によって動作を開始する。その後、ＣＰＵ２０ａは、ガスセンサ３０からガス漏れが生じていないとの検出結果が得られている間は、監視時であると判断して、ＳＷトランジスタＴｒ０のベースに供給する制御信号Ｓ１をＬｏにすると共に、ＳＷトランジスタＴｒ１のベースに供給する制御信号Ｓ２をＨｉにする。これにより、ＬＥＤ１０は低輝度で点灯する。
【００３０】
一方、ガスセンサ３０がガス漏れを検出すると、ＣＰＵ２０ａは、警報時であると判断して、ＳＷトランジスタＴｒ０のベースにパルス状の制御信号Ｓ１を出力して、ＳＷトランジスタＴｒ０のオンオフを繰り返させると共に、ＳＷトランジスタＴｒ１のベースに供給する制御信号Ｓ２をＬｏにする。これにより、ＬＥＤ１０は高輝度点灯と消灯を繰り返す、つまり、高輝度で点滅する。
【００３１】
第２実施形態のガス漏れ警報器も、第１実施形態と同様に、ＬＥＤ１０を常時点灯させると共に、ガス漏れが検出されているとき、ガス漏れが検出されていないときに比べて、ＬＥＤ１０の輝度を高くしている。これにより、ＬＥＤ１０を監視時に低輝度で点灯させ、警報時に高輝度で点灯させることができるため、監視時まぶしくなく、警報時に明るくすることができる。また、１つのＬＥＤ１０を監視時に低輝度で点灯させ、警報時に高輝度で点灯させているため、低輝度点灯用と高輝度点灯用と各々別々のＬＥＤ１０を設ける必要がなく、コストダウンを図ることができる。
【００３２】
しかも、点滅時、ＳＷトランジスタＴｒ１をオフすることにより、ＳＷトランジスタＴｒ１がオンされると、ＬＥＤ１０が高輝度で点灯し、オフされると、完全に発光しなくなるため、ＬＥＤ１０の点滅の明暗を大きくすることができ、視認性向上を図ることができる。
【００３３】
なお、上述した第１及び第２実施形態では、１つのＬＥＤ１０を常時点灯させ、その輝度を変えていたが、例えば、低輝度点灯用と高輝度点灯用との２つのＬＥＤ１０を設けることも考えられる。また、２つＬＥＤ１０を設けた場合、低輝度点灯用のＬＥＤ１０は上記第１及び第２実施形態のようにガス漏れが生じていないときに限らず、常時点灯させてもよい。
【００３４】
また、上述した第１及び第２実施形態では、ＬＥＤ１０の点灯制御をμＣＯＭ２０を用いて行っていた。しかしながら、μＣＯＭを用いず、例えば、図５に示す制御回路によってＬＥＤ１０の点灯制御を行うことも考えられる。
【００３５】
この場合、コンパレータＣＰがガス漏れを検出しておらず、出力がＨレベルのときには、直流電源Ｖｃｃが供給されると、トランジスタＴｒ１のベース−エミッタ間にバイアス電圧が供給され、トランジスタＴｒ１がオンして、ＬＥＤ１０が常時点灯される。また、コンパレータＣＰを用いて、ガスセンサ３０の出力が一定値以上であり、ガス漏れが発生していることを検出している。
【００３６】
そして、コンパレータＣＰがガス漏れを検出してその出力がＨレベルからＬレベルになると、発振回路４０が動作し、トランジスタＴｒ０のベース−エミッタ間にパルス状のバイアス電圧が供給され、ＬＥＤ１０が点滅する。このとき、コンパレータＣＰの出力がＬレベルとなるため、トランジスタＴｒ１のバイアス抵抗Ｒｖには電流が流れず、トランジスタＴｒ１はオフするようになっている。
【００３７】
【発明の効果】
以上説明したように、請求項１及び５記載の発明によれば、ガス漏れが検出されていない監視時に、低輝度で発光素子を点灯させ、ガス漏れが検出されている警報時に、高輝度で発光素子を点灯させることができるので、監視時まぶしくなく、警報時明るく発光するガス漏れ警報器及び点灯制御方法を得ることができる。
【００３８】
請求項２記載の発明によれば、１つの発光素子で監視時と警報時との輝度を変えることができるので、低輝度点灯用と高輝度点灯用とにそれぞれ発光素子を設ける必要がなく、コストダウンを図ったガス漏れ警報器を得ることができる。
【００３９】
請求項３記載の発明によれば、１つのスイッチング素子のオンオフ制御を行うだけで、簡単に、ガス漏れが検出されていないとき、低輝度で発光素子を点灯させ、ガス漏れが検出されているとき、高輝度で発光素子を点滅させることができるので、構成が簡単となり、コストダウンを図ったガス漏れ警報器を得ることができる。
【００４０】
請求項４記載の発明によれば、第１及び第２のスイッチング素子のオンオフ制御を行うことにより、ガス漏れが検出されていないとき、低輝度で発光素子を点灯させ、ガス漏れが検出されているとき、高輝度で発光素子を点滅させることができる。しかも、点滅時、第１スイッチ素子がオフされているため、第２スイッチング素子がオンされると、発光素子が高輝度で点灯し、オフされると、完全に発光しなくなるため、発光素子の点滅の明暗を大きくすることができるので、発光素子の点滅が強調され、視認性向上を図ったガス漏れ警報器を得ることができる。
【図面の簡単な説明】
【図１】第１実施形態における点灯制御方法を実施したガス漏れ警報器の電気構成図である。
【図２】図１に示すＳＷトランジスタＴｒ０のオンオフのタイミングチャートである。
【図３】第２実施形態における点灯制御方法を実施したガス漏れ警報器の電気構成図である。
【図４】図２に示すＳＷトランジスタＴｒ０、Ｔｒ１のオンオフのタイミングチャートである。
【図５】第２実施形態における点灯制御方法を実施したガス漏れ警報器の電気構成図である。
【符号の説明】
３０    ガスセンサ（検出手段）
１０    ＬＥＤ（発光素子）
２０ａ  ＣＰＵ（点灯制御手段）
Ｔｒ０    ＳＷトランジスタ（スイッチング素子、第２スイッチング素子）
Ｔｒ１    ＳＷトランジスタ（第１スイッチング素子）
Ｒ１      抵抗
【図１】
2005004267.tif 000003
【図２】
2005004267.tif 000004
【図３】
2005004267.tif 000005
【図４】
2005004267.tif 000006
【図５】
2005004267.tif 000007